(57)【特許請求の範囲】
【請求項１】
ビーコン装置と、前記ビーコン装置から無線通信を介してデータが送信される携帯端末と、前記携帯端末とネットワークを介して接続される地域データ提供サーバと、前記地域データ提供サーバおよび前記携帯端末とネットワークを介して接続されるＷｅｂデータ提供サーバとを有する表示システムであって、
前記地域データ提供サーバは、鉄道路線の各停車駅のプラットホームごとに設置される前記ビーコン装置が前記携帯端末へ送信するビーコン識別情報と対応する前記駅のプラットホームを識別するためのプラットホーム番号である地域データを取得し、取得した前記地域データを前記Ｗｅｂデータ提供サーバへ送信し、
前記Ｗｅｂデータ提供サーバは、前記地域データ提供サーバから送信される前記地域データと関連する情報を表示させるためのＷｅｂデータを取得し、取得した前記Ｗｅｂデータを前記携帯端末に送信するものであって、
鉄道路線ごとの停車駅と各駅の前記プラットホーム番号とを対応付けて把握し、前記プラットホーム番号から、特定した前回停車した駅と、現在停車している駅とをキーに、鉄道路線を検索し、同一の停車駅を含む鉄道路線を抽出し、抽出した鉄道路線に基づき、現在停車している駅の次に停車する駅の方向にある隣の駅を特定し、
特定した現在停車中の駅の次に停車する駅の方向にある隣の駅、または、これから停車する駅の次に停車する駅の方向にある隣の駅、または、発車したばかりの駅の次に停車する駅の方向にある隣の駅と関連する情報を表示させるためのＷｅｂデータを前記携帯端末に送信し、
前記携帯端末に現在停車中の駅の次に停車する駅の方向にある隣の駅、または、これから停車する駅の次に停車する駅の方向にある隣の駅、または、発車したばかりの駅の次に停車する駅の方向にある隣の駅と関連する情報を表示させる、
表示システム。
【請求項２】
請求項１に記載の表示システムにおいて、
前記地域データと関連する情報を含む表示画面が前記携帯端末に表示された回数と、前記情報が選択された回数とを集計する集計データ更新部をさらに有する、表示システム。
【請求項３】
請求項１に記載の表示システムにおいて、
前記ビーコン装置は、地下鉄道の駅の構内または地下鉄道の駅のプラットホームまたは地下鉄道の駅に至るまでの地下道または地下にある店舗に設けられ、
前記地域データは、前記駅の名称および／または前記駅の出入り口の名称および／または前記駅のプラットホームの名称である、
表示システム。
【請求項４】
請求項３に記載の表示システムにおいて、
前記Ｗｅｂデータ提供サーバは、前記Ｗｅｂデータとして、前記駅の構内または前記駅の周辺に関する広告および／または前記駅または前記駅の周辺に関する情報を取得し、取得した前記Ｗｅｂデータを前記携帯端末に送信する、
表示システム。
【請求項５】
請求項３に記載の表示システムにおいて、
前記Ｗｅｂデータ提供サーバは、前記Ｗｅｂデータとして、前記駅の隣の駅構内または前記駅の隣の駅の周辺に関する広告および／または前記駅の隣の駅の構内または前記駅の隣の駅の周辺に関する情報を取得し、取得した前記Ｗｅｂデータを前記携帯端末に送信する、
表示システム。
【請求項６】
請求項３に記載の表示システムにおいて、
前記Ｗｅｂデータ提供サーバは、前記携帯端末の所有者の年齢と、性別と、購買履歴とのいずれか一つ以上および前記地域データと関連する情報を表示させるためのＷｅｂデータを取得し、取得した前記Ｗｅｂデータを前記携帯端末に送信する、
表示システム。
【請求項７】
請求項３に記載の表示システムにおいて、
前記地域データ提供サーバまたは前記Ｗｅｂデータ提供サーバは、前記駅の名称および／または前記駅のプラットホームの名称を前記携帯端末へ送信し、
前記携帯端末は、前記駅の名称および／または前記駅のプラットホームの名称をこれから乗車する電車の出発地として入力する、
表示システム。
【請求項８】
ビーコン装置と、前記ビーコン装置から無線通信を介してデータが送信される携帯端末と、前記携帯端末とネットワークを介して接続されるファイル提供サーバと、前記ファイル提供サーバおよび前記携帯端末とネットワークを介して接続されるＷｅｂデータ提供サーバとを有する表示システムであって、
前記ファイル提供サーバは、鉄道路線の各停車駅のプラットホームごとに設置されるビーコン装置から前記携帯端末へ送信される鍵をかけられたビーコン識別情報と地域データとからなるテーブルファイルと、前記テーブルファイルを利用可能にするための鍵とを前記Ｗｅｂデータ提供サーバへ送信し、
前記Ｗｅｂデータ提供サーバは、前記ファイル提供サーバから提供された鍵を用いてテーブルファイルの鍵を解除し、前記携帯端末から送信されるビーコン識別情報と対応する前記駅のプラットホームを識別するためのプラットホーム番号である前記地域データを前記テーブルファイルから抽出し、抽出した前記地域データと対応するＷｅｂデータを前記携帯端末へ送信するものであって、
鉄道路線ごとの停車駅と各駅の前記プラットホーム番号とを対応付けて把握し、前記プラットホーム番号から、特定した前回停車した駅と、現在停車している駅とをキーに、鉄道路線を検索し、同一の停車駅を含む鉄道路線を抽出し、抽出した鉄道路線に基づき、現在停車している駅の次に停車する駅の方向にある隣の駅を特定し、
特定した現在停車中の駅の次に停車する駅の方向にある隣の駅、または、これから停車する駅の次に停車する駅の方向にある隣の駅、または、発車したばかりの駅の次に停車する駅の方向にある隣の駅と関連する情報を表示させるためのＷｅｂデータを前記携帯端末に送信し、
前記携帯端末に現在停車中の駅の次に停車する駅の方向にある隣の駅、または、これから停車する駅の次に停車する駅の方向にある隣の駅、または、発車したばかりの駅の次に停車する駅の方向にある隣の駅と関連する情報を表示させる、
表示システム。
【請求項９】
請求項１に記載の表示システムにおける表示方法であって、
前記地域データ提供サーバが、鉄道路線の各停車駅のプラットホームごとに設置されるビーコン装置から前記携帯端末へ送信されるビーコン識別情報を受信し、受信した前記ビーコン識別情報と対応する前記駅のプラットホームを識別するためのプラットホーム番号である前記地域データを取得する地域データ取得ステップと、
取得した前記地域データを前記Ｗｅｂデータ提供サーバへ送信する送信ステップと、
前記Ｗｅｂデータ提供サーバが、鉄道路線ごとの停車駅と各駅の前記プラットホーム番号とを対応付けて把握し、前記プラットホーム番号から、特定した前回停車した駅と、現在停車している駅とをキーに、鉄道路線を検索し、同一の停車駅を含む鉄道路線を抽出し、抽出した鉄道路線に基づき、現在停車している駅の次に停車する駅の方向にある隣の駅を特定するステップと、
前記Ｗｅｂデータ提供サーバが、特定した現在停車中の駅の次に停車する駅の方向にある隣の駅、または、これから停車する駅の次に停車する駅の方向にある隣の駅、または、発車したばかりの駅の次に停車する駅の方向にある隣の駅と関連する情報を表示させるためのＷｅｂデータを前記携帯端末に送信するステップと、
前記Ｗｅｂデータ提供サーバが、前記携帯端末に現在停車中の駅の次に停車する駅の方向にある隣の駅、または、これから停車する駅の次に停車する駅の方向にある隣の駅、または、発車したばかりの駅の次に停車する駅の方向にある隣の駅と関連する情報を表示させるステップと、
を有する、表示方法。
【発明の詳細な説明】
【技術分野】
【０００１】
本発明は、地域データ提供サーバおよび表示システムならびに表示方法ならびに表示プログラムに関する。
【背景技術】
【０００２】
特開２０００−２０４３３号公報（特許文献１）には、「通信ネットワークを用いてＷｅｂ情報をユーザ端末に送信するＷｅｂページ閲覧方法において、前記ユーザ端末の地域情報と、地域情報対地域データベースと、を用いて前記ユーザ端末の地域を判別し、前記Ｗｅｂ情報の内前記地域によって異なるＷｅｂ情報を選別し、前記選別されたＷｅｂ情報を前記ユーザ端末に送信することを特徴とするＷｅｂページ閲覧方法」が記載されている。
【先行技術文献】
【特許文献】
【０００３】
【特許文献１】特開２０００−２０４３３号公報
【発明の概要】
【発明が解決しようとする課題】
【０００４】
特許文献１に記載されている技術では、ユーザの発信地域ごとに異なるＷｅｂデータの送信が可能なページ閲覧方法を提供できる。しかしながら、特許文献１に記載されている技術では、ＩＰアドレスを用いて地域の判定を行っているため、固定のインターネット回線または固定のｗｉ−ｆｉ（登録商標）に接続している必要がある。そのため、携帯端末（スマートフォンなど）に対しては、固定のインターネット回線または固定のｗｉ−ｆｉ（登録商標）に接続しておらず、その場合には、携帯端末の現在位置を特定できず、携帯端末が存在する地域と対応する画面を提供できないという問題があった。
本発明の目的は、携帯端末が存在する地域と対応する情報を含む画面を携帯端末に表示可能にする技術を提供することである。
【課題を解決するための手段】
【０００５】
本願において開示される発明のうち、代表的なものの概要を簡単に説明すれば、次の通りである。【０００６】
本発明の一実施の形態の地域データ提供サーバは、携帯端末に、地域データと関連する情報を表示させるＷｅｂデータ提供サーバとネットワークを介して接続される地域データ提供サーバであって、ビーコン装置から前記携帯端末へ送信されるビーコン識別情報を受信し、受信した前記ビーコン識別情報と対応する前記地域データを取得し、取得した前記地域データを前記Ｗｅｂデータ提供サーバへ送信する。【０００７】
また、本発明の一実施の形態の表示システムは、ビーコン装置と、前記ビーコン装置から無線通信を介してデータが送信される携帯端末と、前記携帯端末とネットワークを介して接続される地域データ提供サーバと、前記地域データ提供サーバおよび前記携帯端末とネットワークを介して接続されるＷｅｂデータ提供サーバとを有する表示システムであって、前記地域データ提供サーバは、前記ビーコン装置が前記携帯端末へ送信するビーコン識別情報と対応する地域データを取得し、取得した前記地域データを前記Ｗｅｂデータ提供サーバへ送信する。また、前記Ｗｅｂデータ提供サーバは、前記地域データ提供サーバから送信される前記地域データと関連する情報を表示させるためのＷｅｂデータを取得し、取得した前記Ｗｅｂデータを前記携帯端末に送信する。【０００８】
また、本発明の他の実施の形態の表示システムは、ビーコン装置と、前記ビーコン装置から無線通信を介してデータが送信される携帯端末と、前記携帯端末とネットワークを介して接続されるファイル提供サーバと、前記ファイル提供サーバおよび前記携帯端末とネットワークを介して接続されるＷｅｂデータ提供サーバとを有する表示システムであって、前記ファイル提供サーバは、鍵をかけられたビーコン識別情報と地域データとからなるテーブルファイルと、前記テーブルファイルを利用可能にするための鍵とを前記Ｗｅｂデータ提供サーバへ送信する。また、前記Ｗｅｂデータ提供サーバは、前記ファイル提供サーバから提供された鍵を用いてテーブルファイルの鍵を解除し、前記携帯端末３から送信されるビーコン識別情報と対応する前記地域データを前記テーブルファイルから抽出し、抽出した前記地域データと対応するＷｅｂデータを前記携帯端末へ送信する。【０００９】
また、本発明の一実施の形態の表示方法は、携帯端末に、地域データと関連する情報を表示させるＷｅｂデータ提供サーバとネットワークを介して接続される地域データ提供サーバにおける表示方法であって、前記地域データ提供サーバが、ビーコン装置から前記携帯端末へ送信されるビーコン識別情報を受信し、受信した前記ビーコン識別情報と対応する前記地域データを取得する地域データ取得ステップを有する。また、取得した前記地域データを前記Ｗｅｂデータ提供サーバへ送信する送信ステップを有する。【００１０】
また、本発明の一実施の形態の表示プログラムは、携帯端末に、地域データと関連する情報を表示させるＷｅｂデータ提供サーバとネットワークを介して接続される地域データ提供サーバのコンピュータに実行させる表示プログラムであって、前記地域データ提供サーバが、ビーコン装置から前記携帯端末へ送信されるビーコン識別情報を受信し、受信した前記ビーコン識別情報と対応する前記地域データを取得する地域データ取得ステップを前記コンピュータに実行させる。また、取得した前記地域データを前記Ｗｅｂデータ提供サーバへ送信する、送信ステップを前記コンピュータに実行させる。
【発明の効果】
【００１１】
本願において開示される発明のうち、代表的なものによって得られる効果を簡単に説明すれば以下のとおりである。
本発明の代表的な実施の形態によれば、携帯端末が存在する地域と対応する情報を含む画面を携帯端末に表示させることができる。
【図面の簡単な説明】
【００１２】
【図１】本発明の実施の形態１における表示システムの構成例の概要を示す図である。
【図２】本発明の実施の形態１における表示システムを構成する地域データ提供サーバの地域データ記憶部に記憶されている地域データの構成例の概要を示す図である。
【図３】本発明の実施の形態１における表示システムを構成する地域データ提供サーバの集計情報記憶部に記憶されている集計データの構成例の概要を示す図である。
【図４】本発明の実施の形態１における表示システムを構成するＷｅｂデータ提供サーバのＷｅｂデータ記憶部に記憶されているＷｅｂデータの構成例の概要を示す図である。
【図５】本発明の実施の形態１における表示システムを構成する携帯端末のディスプレイに表示される表示画面の例を示す図である。
【図６】本発明の実施の形態１における全体処理の概要を示す図である。
【図７】本発明の実施の形態２における全体処理の概要を示す図である。
【発明を実施するための形態】
【００１３】
以下、本発明の実施の形態を図面に基づいて詳細に説明する。なお、実施の形態を説明するための全図において、同一部には原則として同一の符号を付し、その繰り返しの説明は省略する。
（実施の形態１）
＜システム構成＞
図１は、本発明の実施の形態１における、表示システム１０の構成例の概要を示す図である。
【００１４】
図１に示されるように、表示システム１０は、ビーコン装置１００と、ビーコン装置１００から無線通信を介してデータが送信される携帯端末３００と、携帯端末３００とネットワークを介して接続される地域データ提供サーバ２００と、地域データ提供サーバ２００および携帯端末３００とネットワークを介して接続されるＷｅｂデータ提供サーバ４００とを有する。
【００１５】
ビーコン装置１００は、地下鉄道の駅の構内や、地下鉄道の駅のプラットホームなどに設置される。また、ビーコン装置１００は、地下鉄道の駅に至るまでの地下道や地下にある店舗などにも設置される。ビーコン装置１００は、短距離無線（Ｂｌｕｅｔｏｏｔｈ（登録商標）など）を利用し、ビーコン装置１００を識別するためのビーコン装置識別情報を携帯端末３００へブロードキャスト（送信）する。これによって、ビーコン装置１００は、地下鉄道の駅の構内や、地下鉄道の駅のプラットホーム内や、地下鉄道の駅に至るまでの地下道や地下にある店舗内の携帯端末３００へビーコン装置識別情報を送信する。なお、ビーコン装置１００は、超広帯域無線通信（Ｕｌｔｒａ  Ｗｉｄｅ  Ｂａｎｄ）を利用し、ビーコン装置１００を識別するためのビーコン装置識別情報を携帯端末３００へブロードキャスト（送信）するようにしても良い。また、複数箇所に設置されたビーコン装置１００からの電波を携帯端末３００が受信する場合、その位置に固有の電波強度のパターンを、識別情報として利用するようにしても良い。その場合、地域データ提供サーバ２００は、識別情報と対応する地域データを取得し、取得した地域データをＷｅｂデータ提供サーバ４００へ送信する。
【００１６】
携帯端末３００は、ビーコン装置１００から無線通信を介して送信されるビーコン装置識別情報を受信する。携帯端末３００は、各種アプリケーションプログラムを読み込むことで、対応するアプリケーションを動作させる。携帯端末３００により読み込まれるアプリケーションプログラムにより動作されるアプリケーションとしては、電車の出発地および到着地の駅名の入力を受け付けることで、これから乗車する電車を検索するための電車乗換案内アプリケーションや、各種ニュースを表示させるためのニュースアプリケーションや、不動産の情報を表示させるための不動産情報アプリケーションや、アルバイトなどの求人情報を表示させるための求人情報アプリケーションや、飲食店の情報を表示させるための飲食店情報アプリケーションや、イベント（花火大会や祭りなど）の情報を表示させるためのイベント情報アプリケーションや、ゲームアプリケーションなどがある。
【００１７】
携帯端末３００または携帯端末３００が動作させているアプリケーションは、Ｗｅｂデータ提供サーバ４００にＷｅｂデータ（広告を表示させるためのＨＴＭＬデータや、アプリケーションに含まれる文字や画像などを表示させるための画像データや、画面を表示させるための画面データなど）をリクエストする。携帯端末３００は、リクエストしたＷｅｂデータを受信し、受信したＷｅｂデータに基づく表示画面（後述、図５）をディスプレイに表示させる。
地域データ提供サーバ２００は、地域データ提供部２１０と、集計データ更新部２２０と、地域データ記憶部２３０と、集計データ記憶部２３１とを有する。
【００１８】
地域データ提供部２１０は、ビーコン装置１００が携帯端末３００へ送信するビーコン識別情報と対応する地域データ（例えば、駅の名称や、駅の出入り口の名称）を取得する。そして、地域データ提供サーバ２００は、取得した地域データをＷｅｂデータ提供サーバ４００へ送信する。
【００１９】
集計データ更新部２２０は、携帯端末３００の現在位置と関連する情報を表示させるためのＷｅｂデータに基づく情報を含む表示画面（後述、図５）が携帯端末３００に表示された回数と、携帯端末３００を介して情報が選択（タッチ操作など）された回数とを集計する。
【００２０】
Ｗｅｂデータ提供サーバ４００は、Ｗｅｂデータを選択し、選択したＷｅｂデータを携帯端末３００へ提供する。Ｗｅｂデータ提供サーバ４００としては、携帯端末３００へ広告を配信するための広告サーバや、携帯端末３００へゲームを配信するゲームサーバーや、携帯端末３００の現在位置から目的地までの経路誘導を可能にするナビゲーションサーバーなどの広告を含むＷｅｂデータを配信する様々な形態のサーバを全て含むものである。
【００２１】
Ｗｅｂデータ提供サーバ４００は、地域データ提供サーバ２００から送信される地域データに基づき、携帯端末３００の現在位置と関連する情報を表示させるためのＷｅｂデータを取得し、取得したＷｅｂデータを携帯端末３００に送信する。また、Ｗｅｂデータ提供サーバ４００は、地域データ提供サーバ２００から送信される地域データの一例である携帯端末３００の移動経路情報（過去に携帯端末３００が通過した、時刻ごとの携帯端末３００の位置の集合によって構成される）に基づき、携帯端末３００の移動経路と関連する情報を表示させるためのＷｅｂデータを取得し、取得したＷｅｂデータを携帯端末３００に送信する。
【００２２】
例えば、Ｗｅｂデータ提供サーバ４００は、Ｗｅｂデータとして、駅の構内または駅の周辺に関する広告および／または駅または駅の周辺に関する情報を取得し、取得したＷｅｂデータを携帯端末３００に送信する。具体的には、携帯端末３００の現在位置が新橋駅である場合、Ｗｅｂデータ提供サーバ４００は、Ｗｅｂデータとして、新橋駅の構内や新橋駅の周辺の店舗の広告を表示させるためのデータを携帯端末３００に送信する。また、Ｗｅｂデータ提供サーバ４００は、Ｗｅｂデータとして、新橋駅の構内や新橋駅の周辺にて開催されるイベント（花火大会や祭りなど）についての情報を携帯端末３００に送信する。また、地域データが携帯端末３００の移動経路情報である場合、Ｗｅｂデータ提供サーバ４００は、移動経路情報に基づき、携帯端末３００が移動する可能性がある場所を特定する。そして、Ｗｅｂデータ提供サーバ４００は、携帯端末３００が移動する可能性がある場所または移動する可能性がある場所の周辺に関する広告および／または移動する可能性がある場所または移動する可能性のある場所の周辺に関する情報を取得し、取得したＷｅｂデータを携帯端末３００に送信する。
【００２３】
なお、Ｗｅｂデータ提供サーバ４００は、Ｗｅｂデータとして、駅の隣の駅構内または駅の隣の駅の周辺に関する広告および／または駅の隣の駅の構内または駅の隣の駅の周辺に関する情報を取得し、取得したＷｅｂデータを携帯端末３００に送信するようにしても良い。具体的には、携帯端末３００の現在位置が虎ノ門駅である場合、Ｗｅｂデータ提供サーバ４００は、Ｗｅｂデータとして、虎の門駅の隣の駅である新橋駅の構内や虎ノ門駅の隣の駅である新橋駅の周辺の店舗の広告を表示させるためのデータを携帯端末３００に送信する。
【００２４】
また、Ｗｅｂデータ提供サーバ４００は、鉄道路線ごとの通過駅と各駅のプラットホーム番号とを対応付けて把握している。そのため、Ｗｅｂデータ提供サーバ４００は、プラットホームの番号から、前回停車した駅と、次回停車する駅とを特定できる。なお、Ｗｅｂデータ提供サーバ４００は、鉄道路線ごとの通過駅と各駅のプラットホーム番号とを対応付けて把握していない場合も有り得る。
【００２５】
なお、新宿駅や東京駅や新橋駅などのような巨大な駅においては、携帯端末３００が、となりのプラットホームに設置されているビーコン装置１００から送信されるビーコン識別情報を受信してしまう可能性も有り得る。この場合、Ｗｅｂデータ提供サーバ４００は、前回停車した駅と、現在停車している駅とをキーに、鉄道路線を検索し、同一の通貨駅を含む鉄道路線を抽出する。そして、抽出した鉄道路線に基づき、現在停車している駅の次に停車する駅を特定することもできる。
【００２６】
Ｗｅｂデータ提供サーバ４００は、駅のプラットホーム（例えば、銀座駅のプラットホームであって銀座線・渋谷行の電車が停車するプラットホーム）に設置されるビーコン装置のビーコン識別情報と対応する地域データ（例えば、銀座駅の１番線（銀座線・渋谷行））に基づき、次に停車する駅（新橋駅）を特定する。そして、Ｗｅｂデータ提供サーバ４００は、特定した現在停車中またはこれから停車または発車したばかりの駅（銀座駅）の次に停車する駅（新橋駅）と関連する情報を表示させるためのＷｅｂデータを携帯端末３００に送信する。
【００２７】
また、Ｗｅｂデータ提供サーバ４００は、携帯端末３００の所有者の年齢と、性別と、購買履歴などとのいずれか一つ以上と、地域データと関連する情報を表示させるためのＷｅｂデータを取得し、取得したＷｅｂデータを携帯端末３００に送信するようにしても良い。
【００２８】
携帯端末３００は、ビーコン装置１００から送信されるビーコン識別情報を受信しない場合、携帯端末３００の現在位置などが考慮されていないＷｅｂデータ（以下、第１のＷｅｂデータと呼ぶ場合がある）に基づく表示画面をディスプレイに表示させる。一方、携帯端末３００は、ビーコン装置１００から送信されるビーコン識別情報を受信した場合、携帯端末３００の現在位置と関連する情報を表示させるためのＷｅｂデータ（以下、第２のＷｅｂデータと呼ぶ場合がある）に基づく表示画面をディスプレイに表示させる。
【００２９】
携帯端末３００は、ビーコン識別情報を受信した後は、所定の条件（ＧＰＳ信号を受信可能になる。または、携帯端末３００の現在位置が、ビーコン識別情報から特定されるエリアの範囲外まで移動する）が成立するまで、第２のＷｅｂデータに基づく表示画面をディスプレイに表示させる。
【００３０】
なお、携帯端末３００が、電車の出発地および到着地の駅名の入力を受け付けることで、これから乗車する電車を検索していることがある。この場合、地域データ提供サーバ２００またはＷｅｂデータ提供サーバ４００は、駅の名称および／または駅のプラットホームの名称を携帯端末３００へ送信するようにしても良い。携帯端末３００は、地域データ提供サーバ２００またはＷｅｂデータ提供サーバ４００から送信される駅の名称および／または駅のプラットホームの名称をこれから乗車する電車の出発地として入力する。
【００３１】
また、地域データ提供サーバ２００に替えて、鍵をかけ隠蔽されたビーコン識別情報と地域データとからなるテーブルファイルを提供するファイル提供サーバを適用しても良い。ファイル提供サーバは、テーブルファイルをＷｅｂデータ提供サーバ４００へ送信する。また、ファイル提供サーバは、Ｗｅｂデータ提供サーバ４００へテーブルファイルを利用可能にするための鍵を有償で送信する。但し、ファイル提供サーバは、Ｗｅｂデータ提供サーバ４００にテーブルファイルを有償で提供（送信）しても良い。そして、Ｗｅｂデータ提供サーバ４００は、ファイル提供サーバから送信された鍵を用いてテーブルファイルの鍵を解除する。この場合、Ｗｅｂデータ提供サーバ４００は、携帯端末３００から送信されるビーコン識別情報と対応する地域データをテーブルファイルから抽出し、抽出した地域データと対応するＷｅｂデータを取得する。そして、Ｗｅｂデータ提供サーバ４００は、取得したＷｅｂデータを携帯端末３００へ送信する。なお、テーブルファイルが鍵がかけられていないものであっても良い。この場合、ファイル提供サーバは、Ｗｅｂデータ提供サーバ４００にテーブルファイルを無償で提供する。また、地域データ提供サーバ２００に替えて、鍵をかけ隠蔽された、または隠蔽されない(公開された)ビーコン識別情報と地域データとからなるテーブルファイルを含むプログラム(開発キット)を携帯端末３００のアプリケーションまたはＷｅｂデータ提供サーバ４００に組み込んでもよい。
＜地域情報＞
【００３２】
図２は、本発明の実施の形態１における表示システム１０を構成する地域データ提供サーバ２００の地域データ記憶部２３０に記憶されている地域情報の構成例の概要を示す図である。図２に示されるように、地域情報は、[ビーコン識別情報]、[地域データ]などのデータ項目により構成される。
【００３３】
[ビーコン識別情報]は、ビーコン装置１００を識別するための符号を示す。[地域データ]は、ビーコン装置１００が設置される地域を特定するための情報や、駅のプラットホームの名称、駅の名称、周辺の店舗や各種施設、携帯端末３００の移動経路情報などを示す。
なお、地域データは、地域を識別するための地域識別情報と、地域名（東京都新宿区）などをさらに含むようにしても良い。ここで、携帯端末３００の移動経路情報は、時刻ごとの携帯端末３００の現在位置の集合によって構成される。
＜集計データ＞
【００３４】
図３は、本発明の実施の形態１における表示システム１０を構成する地域データ提供サーバ２００の集計情報記憶部２３１に記憶されている集計データの構成例の概要を示す図である。図３に示されるように、集計データは、[Ｗｅｂデータ提供識別情報]、[地域データ]、[アクセス数]、[クリック数]などのデータ項目により構成される。
【００３５】
[Ｗｅｂデータ提供サーバ識別情報]は、Ｗｅｂデータ提供サーバ４００を識別するための符号を示す。[アクセス数]は、第２のＷｅｂデータ（携帯端末３００の現在位置と関連する情報を表示させるためのＷｅｂデータ）に基づく情報を含む表示画面が表示された回数の合計値を示す。[クリック数]は、表示画面に含まれる第２のＷｅｂデータに基づく情報が選択された回数の合計値を示す。例えば、クリック数は、第２のＷｅｂデータに基づく画像が押下された回数を示す。
＜Ｗｅｂデータ＞
【００３６】
図４は、本発明の実施の形態１における表示システム１０を構成するＷｅｂデータ提供サーバ４００のＷｅｂデータ記憶部４１０に記憶されているＷｅｂデータの構成例の概要を示す図である。図４に示されるように、Ｗｅｂデータは、[地域データ]、[Ｗｅｂデータ]などのデータ項目により構成される。
[Ｗｅｂデータ]は、携帯端末３００の現在位置または携帯端末３００の移動経路情報と関連する情報を表示させるためのデータである。
＜表示画面＞
【００３７】
図５は、本発明の実施の形態１における、携帯端末３００の現在位置と関連する画像５１０を含む表示画面の例を示す。図５に示される表示画面には、第２のＷｅｂデータに基づく画像５１０を含む。このような地域と関連する画像５１０が表示されることで、より効果的な広告などを携帯端末３００に表示させることができる。
＜全体処理＞
図６は、本発明の実施の形態１における全体処理の概要を示す図である。
【００３８】
まず、Ｓ６０１にて、携帯端末３００は、ビーコン装置１００から送信されるビーコン識別情報を受信したか否かを判定する。携帯端末３００が、ビーコン識別情報を受信したと判定する場合（Ｓ６０１−Ｙｅｓ）、Ｓ６０５へ進む。一方、携帯端末３００が、ビーコン装置１００から送信されるビーコン識別情報を受信していないと判定する場合（Ｓ６０１−Ｎｏ）、Ｓ６０２へ進む。
【００３９】
次に、Ｓ６０２にて、携帯端末３００（携帯端末３００が動作させているアプリケーション）は、Ｗｅｂデータ提供サーバ４００に第１のＷｅｂデータ（携帯端末３００の現在位置などが考慮されていないＷｅｂデータ）をリクエストする。
次に、Ｓ６０３にて、Ｗｅｂデータ提供サーバ４００は、第１のＷｅｂデータを携帯端末３００に送信する。
【００４０】
次に、Ｓ６０４にて、携帯端末３００は、Ｓ６０３にて送信された第１のＷｅｂデータを受信する。そして、携帯端末３００は、受信した第１のＷｅｂデータに基づく情報を含む表示画面をディスプレイに表示させる。Ｓ６０４の次は、Ｓ６０１に戻る。
【００４１】
一方、Ｓ６０１にて携帯端末３００が、ビーコン識別情報を受信したと判定する場合（Ｓ６０１−Ｙｅｓ）、Ｓ６０５にて、携帯端末３００は、ビーコン装置１００から送信されたビーコン識別情報をＷｅｂデータ提供サーバ４００へ送信する。
【００４２】
次に、Ｓ６０６にて、Ｗｅｂデータ提供サーバ４００は、Ｓ６０５にて送信されたビーコン識別情報を受信する。そして、Ｗｅｂデータ提供サーバ４００は、受信したビーコン識別情報と、Ｗｅｂデータ提供サーバ４００を識別するためのＷｅｂデータ提供サーバ識別情報とを地域データ提供サーバ２００へ送信するとともに、地域データ提供サーバ２００に地域データのリクエストをする。
【００４３】
次に、Ｓ６０７にて、地域データ提供サーバ２００の地域データ提供部２１０は、Ｓ６０６にて送信されたビーコン識別情報と、Ｗｅｂデータ提供サーバ識別情報とを受信する。そして、地域データ提供部２１０は、受信したビーコン識別情報をキーに地域データ記憶部２３０を検索し、対応する地域データを取得する。
【００４４】
次に、Ｓ６０８にて、地域データ提供サーバ２００の集計データ更新部２２０は、Ｓ６０７にて受信したＷｅｂデータ提供サーバ識別情報と、Ｓ６０７にて取得した地域データとをキーに集計データ記憶部２３１を検索し、対応するアクセス数を取得する。集計データ更新部２２０は、取得したアクセス数をインクリメントする。そして、集計データ更新部２２０は、Ｗｅｂデータ提供サーバ識別情報と、地域データと、インクリメントしたアクセス数とを対応付けて集計データ記憶部２３１を更新する。但し、集計データ更新部２２０は、必ずしもＳ６０７において取得した地域データは使用しなくともよい。
【００４５】
次に、Ｓ６０９にて、地域データ提供サーバ２００は、Ｓ６０８にて取得した地域データをＷｅｂデータ提供サーバ４００へ送信する。なお、地域データ提供サーバ２００は、Ｓ６０８にて受信したＷｅｂデータ提供サーバ識別情報から特定されるＷｅｂデータ提供サーバ４００へ地域データを送信する。
【００４６】
次に、Ｓ６１０にて、Ｗｅｂデータ提供サーバ４００は、Ｓ６０９にて送信された地域データを受信する。そして、Ｗｅｂデータ提供サーバ４００は、受信した地域データをキーに、Ｗｅｂデータ記憶部４１０を検索し、対応する第２のＷｅｂデータ（携帯端末３００の現在位置と関連する情報を表示させるためのＷｅｂデータ）を取得する。Ｗｅｂデータ提供サーバ４００は、受信した地域データだけではなく、携帯端末３００の所有者の属性情報を使い、Ｗｅｂデータ記憶部４１０にある情報を、検索またはマッチングアルゴリズムなどによって選択し、選択された第２のＷｅｂデータを取得しても良い。
次に、Ｓ６１１にて、Ｗｅｂデータ提供サーバ４００は、Ｓ６１０にて取得した第２のＷｅｂデータを携帯端末３００へ送信する。
【００４７】
次に、Ｓ６１２にて、携帯端末３００は、Ｓ６１１にて送信された第２のＷｅｂデータを受信する。そして、携帯端末３００は、受信した第２のＷｅｂデータに基づく情報（画像５１０など）を含む表示画面をディスプレイに表示させる。
【００４８】
次に、Ｓ６１３にて、携帯端末３００が、Ｓ６１２にて表示させた表示画面に含まれる第２のＷｅｂデータに基づく情報が選択されたか否かを判定する。携帯端末３００が、Ｓ６１２にて表示させた表示画面に含まれる第２のＷｅｂデータに基づく情報が選択されていないと判定する場合（Ｓ６１３−Ｎｏ）、Ｓ６０１に戻る。一方、携帯端末３００が、Ｓ６１２にて表示させた表示画面に含まれる第２のＷｅｂデータに基づく情報（画像）が選択されたと判定する場合（Ｓ６１３−Ｙｅｓ）、Ｓ６１４へ進む。
【００４９】
次に、Ｓ６１４にて、携帯端末３００は、Ｓ６１３にて選択された第２のＷｅｂデータから特定される新規の表示画面のＷｅｂデータをＷｅｂデータ提供サーバ４００へリクエストする。
次に、Ｓ６１５にて、Ｗｅｂデータ提供サーバ４００は、Ｓ６１４にてリクエストされた新規の表示画面のＷｅｂデータを携帯端末３００へ送信する。
次に、Ｓ６１６にて、携帯端末３００は、Ｓ６１５にて送信されたＷｅｂデータを受信し、受信したＷｅｂデータに基づく表示画面をディスプレイに表示させる。
次に、Ｓ６１７にて、Ｗｅｂデータ提供サーバ４００は、Ｗｅｂデータ提供サーバ識別情報と、Ｓ６１０にて受信した地域データとを地域データ提供サーバ２００へ送信する。但し、集計データ更新部２２０は、Ｓ６１０にて受信した地域データを必ずしも地域データ提供サーバ２００へ送信しなくともよい。
【００５０】
次に、Ｓ６１８にて、地域データ提供サーバ２００は、Ｓ６１７にて送信されたＷｅｂデータ提供サーバ識別情報と地域データとを受信する。そして、地域データ提供サーバ２００の集計データ更新部２２０は、受信したＷｅｂデータ提供サーバ識別情報と地域データとをキーに集計データ記憶部２３１を検索し、対応するクリック数を取得する。集計データ更新部２２０は、取得したクリック数をインクリメントする。そして、集計データ更新部２２０は、Ｗｅｂデータ提供サーバ識別情報と、地域データと、アクセス数と、インクリメントしたクリック数とを対応付けて集計データ記憶部２３１を更新する。Ｓ６１８の次は、Ｓ６０１に戻る。
【００５１】
なお、携帯端末３００が、電車の出発地および到着地の駅名の入力を受け付けることで、乗車する電車を検索している場合、Ｓ６０９にて、地域データ提供サーバ２００は、Ｓ６０８にて取得した地域データ（駅の名称および／または前記駅のプラットホームなど）を、携帯端末３００へ送信するようにしても良い。または、Ｓ６１１にて、Ｗｅｂデータ提供サーバ４００は、Ｓ６１０にて受信した地域データ（駅の名称および／または前記駅のプラットホームなど）を、携帯端末３００へ送信するようにしても良い。この場合、携帯端末３００は、地域データ提供サーバ２００により送信された地域データから特定される駅名を、出発地として入力する。これによって、ユーザが出発地を手動で入力する手間を削減できる。
【００５２】
また、Ｓ６０８と、Ｓ６１８にて、集計データ更新部２２０が、集計データ記憶部２３１を更新することに替えて、Ｗｅｂデータ提供サーバ４００にて、地域データと対応するアクセス数と、クリック数とを集計するようにしても良い。この場合、Ｗｅｂデータ提供サーバ４００の所有者（広告代理店など）の自己申告等により地域データの利用料金が、課金される。
＜実施の形態１の効果＞
【００５３】
以上説明した実施の形態１によれば、地域データ提供サーバ２００が、ビーコン装置１００から携帯端末３００へ送信されるビーコン識別情報を受信し、受信したビーコン識別情報と対応する地域データを取得し、取得した地域データをＷｅｂデータ提供サーバ４００へ送信することで、携帯端末３００が存在する地域と対応する情報を含む画面を携帯端末に携帯端末３００に表示させることができる。
【００５４】
また、地域データ提供サーバ２００が、地域データと関連する情報を含む表示画面が携帯端末３００に表示された回数と、地域データと関連する情報が選択された回数とを集計する集計データ更新部２２０をさらに有することで、広告の効果などを解析可能になる。また、地域データ提供サーバ２００側にて、集計結果に応じた請求額の算出が可能になる。
【００５５】
また、ビーコン装置１００が、地下鉄道の駅の構内に設けられ、地域データが、駅の名称および／または駅の出入り口の名称であることで、ＧＰＳ信号を受信できない地下鉄道の駅の構内であっても、携帯端末３００が存在する駅（地域）と関連する情報を含む画面を携帯端末に携帯端末３００に表示させことができる。
【００５６】
また、ビーコン装置１００が、地下鉄道の駅のプラットホームに設けられ、地域データが、駅の名称および／または駅のプラットホームの名称であることで、ＧＰＳ信号を受信できない地下鉄道の駅のプラットホームであっても、携帯端末３００が存在する駅（地域）と関連する情報を含む画面を携帯端末に携帯端末３００に表示させることができる。
【００５７】
また、Ｗｅｂデータ提供サーバ２００が、Ｗｅｂデータとして、駅の構内または駅の周辺に関する広告および／または駅または駅の周辺に関する情報を取得し、取得したＷｅｂデータを携帯端末３００に送信することで、携帯端末３００が存在する駅（地域）と関連する情報を含む画面を携帯端末に携帯端末３００に表示させることができる。
【００５８】
また、Ｗｅｂデータ提供サーバ２００が、Ｗｅｂデータとして、駅の隣の駅構内または駅の隣の駅の周辺に関する広告および／または駅の隣の駅の構内または駅の隣の駅の周辺に関する情報を取得し、取得したＷｅｂデータを携帯端末３００に送信することで、携帯端末３００の所有者がこれから訪れる可能性がある駅（地域）と関連する情報を含む画面を携帯端末に先取りして携帯端末３００に表示させることができる。
【００５９】
また、Ｗｅｂデータ提供サーバは２００、携帯端末３００の所有者の属性（地域（住所）と、年齢と、性別と、購買履歴と、と家族構成とのいずれか一つ以上）および地域データと関連する情報を表示させるためのＷｅｂデータを取得し、取得したＷｅｂデータを携帯端末３００に送信することで、携帯端末３００の所有者の特性を考慮した画面を携帯端末に携帯端末３００に表示させることができる。
【００６０】
また、携帯端末３００が、駅の名称および／または駅のプラットホームの名称をこれから乗車する電車の出発地として入力することで、携帯端末３００の所有者が出発地を手動で入力する手間を削減できる。
（実施の形態２）
＜全体処理＞
図７は、本発明の実施の形態２における全体処理の概要を示す図である。
【００６１】
まず、Ｓ７０１にて、携帯端末３００は、ビーコン装置１００から送信されるビーコン識別情報を受信したか否かを判定する。携帯端末３００が、ビーコン識別情報を受信したと判定する場合（Ｓ７０１−Ｙｅｓ）、Ｓ７０５へ進む。一方、携帯端末３００は、装置１００から送信されるビーコン識別情報を受信していないと判定する場合（Ｓ７０１−Ｎｏ）、Ｓ７０２へ進む。
次に、Ｓ７０２にて、携帯端末３００は、Ｗｅｂデータ提供サーバ４００に第１のＷｅｂデータをリクエストする。
次に、Ｓ７０３にて、Ｗｅｂデータ提供サーバ４００は、第１のＷｅｂデータを携帯端末３００に送信する。
【００６２】
次に、Ｓ７０４にて、携帯端末３００は、Ｓ７０３にて送信された第１のＷｅｂデータを受信する。そして、携帯端末３００は、受信した第１のＷｅｂデータに基づく表示画面をディスプレイに表示させる。Ｓ７０４の次は、Ｓ７０１に戻る。
【００６３】
一方、Ｓ７０１にて携帯端末３００が、ビーコン識別情報を受信したと判定する場合（Ｓ７０１−Ｙｅｓ）、Ｓ７０５にて、携帯端末３００は、受信したビーコン識別情報と、Ｗｅｂデータ提供サーバ４００（参照している表示画面に含まれる広告を表示させるためのＷｅｂデータを提供しているＷｅｂデータ提供サーバ４００）を識別するためのＷｅｂデータ提供サーバ識別情報とを地域データ提供サーバ２００へ送信するとともに、地域データ提供サーバ２００に地域データのリクエストをする。
【００６４】
次に、Ｓ７０６にて、地域データ提供サーバ２００の地域データ提供部２１０は、Ｓ７０５にて送信されたビーコン識別情報と、Ｗｅｂデータ提供サーバ識別情報とを受信する。そして、地域データ提供部２１０は、受信したビーコン識別情報をキーに地域データ記憶部２３０を検索し、対応する地域データを取得する。
【００６５】
次に、Ｓ７０７にて、地域データ提供サーバ２００の集計データ更新部２２０は、Ｗｅｂデータ提供サーバ識別情報と、Ｓ７０６にて取得した地域データとをキーに集計データ記憶部２３１を検索し、対応するアクセス数を取得する。そして、集計データ更新部２２０は、取得したアクセス数をインクリメントする。そして、集計データ更新部２２０は、Ｗｅｂデータ提供サーバ識別情報と、地域データと、インクリメントしたアクセス数と、クリック数とを対応付けて集計データ記憶部２３１を更新する。
【００６６】
次に、Ｓ７０８にて、地域データ提供サーバ２００は、Ｓ７０７にて取得した地域データをＷｅｂデータ提供サーバ４００へ送信する。なお、地域データ提供サーバ２００は、Ｓ７０７にて受信したＷｅｂデータ提供サーバ識別情報から特定されるＷｅｂデータ提供サーバ４００へ地域データを送信する。
【００６７】
次に、Ｓ７０９にて、Ｗｅｂデータ提供サーバ４００は、Ｓ７０８にて送信された地域データを受信する。そして、Ｗｅｂデータ提供サーバ４００は、受信した地域データをキーに、Ｗｅｂデータ記憶部４１０を検索し、対応する第２のＷｅｂデータを取得する。
次に、Ｓ７１０にて、Ｗｅｂデータ提供サーバ４００は、Ｓ７０９にて取得した第２のＷｅｂデータを携帯端末３００へ送信する。
【００６８】
次に、Ｓ７１１にて、携帯端末３００は、Ｓ７１０にて送信された第２のＷｅｂデータを受信する。そして、携帯端末３００は、受信した第２のＷｅｂデータに基づく表示画面をディスプレイに表示させる。
【００６９】
次に、Ｓ７１２にて、携帯端末３００が、Ｓ７１１にて表示させた表示画面に含まれる第２のＷｅｂデータに基づく情報（画像）が選択されたか否かを判定する。携帯端末３００が、Ｓ７１１にて表示させた表示画面に含まれる第２のＷｅｂデータに基づく情報が選択されていないと判定する場合（Ｓ７１２−Ｎｏ）、Ｓ７０１に戻る。一方、携帯端末３００が、Ｓ７１１にて表示させた表示画面に含まれる第２のＷｅｂデータに基づく情報が選択されたと判定する場合（Ｓ７１２−Ｙｅｓ）、Ｓ７１３へ進む。
【００７０】
次に、Ｓ７１３にて、携帯端末３００は、Ｓ７１２にて選択された第２のＷｅｂデータから特定される新規の表示画面のＷｅｂデータをＷｅｂデータ提供サーバ４００へリクエストする。
次に、Ｓ７１４にて、Ｗｅｂデータ提供サーバ４００は、Ｓ７１３にてリクエストされた新規の表示画面のＷｅｂデータを携帯端末３００へ送信する。
次に、Ｓ７１５にて、携帯端末３００は、Ｓ７１４にて送信されたＷｅｂデータを受信し、受信したＷｅｂデータに基づく表示画面をディスプレイに表示させる。
次に、Ｓ７１６にて、Ｗｅｂデータ提供サーバ４００は、Ｗｅｂデータ提供サーバ識別情報と、Ｓ７０９にて受信した地域データとを地域データ提供サーバ２００へ送信する。
【００７１】
次に、Ｓ７１７にて、地域データ提供サーバ２００は、Ｓ７１４にて送信されたＷｅｂデータ提供サーバ識別情報と地域データとを受信する。そして、地域データ提供サーバ２００の集計データ更新部２２０は、受信したＷｅｂデータ提供サーバ識別情報と地域データとをキーに集計データ記憶部２３１を検索し、対応するクリック数を取得する。集計データ更新部２２０は、取得したクリック数をインクリメントする。そして、集計データ更新部２２０は、Ｗｅｂデータ提供サーバ識別情報と、地域データと、アクセス数と、インクリメントしたクリック数とを対応付けて集計データ記憶部２３１を更新するＳ７１７の次は、Ｓ７０１に戻る。
＜実施の形態２の効果＞
【００７２】
以上のように、本実施の形態２によれば、実施の形態１と異なる効果として、携帯端末３００が、受信したビーコン識別情報を地域データ提供サーバ２００に送信することで、携帯端末３００が受信したビーコン識別情報を速やかに地域データ提供サーバ２００に送信できる。
【００７３】
以上、本発明者によってなされた発明を実施の形態に基づき具体的に説明したが、本発明は前記実施の形態に限定されるものではなく、その要旨を逸脱しない範囲で種々変更可能であることはいうまでもない。
たとえば、携帯端末は、スマートフォン以外にも、タブレット端末等の様々な形態の携帯端末を全て含むものである。
【００７４】
また、上記した実施の形態は本発明を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００７５】
１００…ビーコン装置、
２００…地域データ提供サーバ、
３００…携帯端末、
４００…Ｗｅｂデータ提供サーバ。
【図１】
0006730454.tif 000002
【図２】
0006730454.tif 000003
【図３】
0006730454.tif 000004
【図４】
0006730454.tif 000005
【図５】
0006730454.tif 000006
【図６】
0006730454.tif 000007
【図７】
0006730454.tif 000008